(57)【要約】【課題】各局ＳＩのスキャン受信処理を行わずに同等の機能を有する携帯型地上デジタル放送受信機を提供する。【解決手段】地上デジタル放送では携帯端末を用いた受信が予定されている。電子番組案内（ＥＰＧ）を表示する際、放送波に多重されている番組配列情報（ＳＩ）を解析する必要があるが、地上デジタル放送では全局ＳＩが送信されないため、複数局を網羅するＥＰＧを表示するために、各局ＳＩをスキャン受信し、すべてを解析する必要がある。この際、携帯型地上デジタル放送受信機（携帯端末）１にて表示する電子番組案内作成の処理を、処理能力の高い固定型地上デジタル放送受信機（固定端末）２ｂに代行させる。【選択図】        図１
2004207806.tif 000002
【特許請求の範囲】
【請求項１】
地上デジタル放送をスキャン受信する放送受信装置へ、通信手段を介して情報を交換する地上デジタル放送受信機において、
上記地上デジタル放送の番組を案内する番組情報を、上記通信手段を介して上記放送受信装置へ要求する要求部と、
上記放送受信装置がスキャン受信した地上デジタル放送から抽出した番組情報を、上記通信手段を介して上記放送受信装置から取得する取得部と、
取得した番組情報を表示する表示部と
を備えることを特徴とする地上デジタル放送受信機。
【請求項２】
上記番組情報は、番組に関する情報を羅列した番組配列情報であり、
上記地上デジタル放送受信機は、さらに、上記取得部が取得した番組配列情報を表示形式に変換した電子番組案内を作成する作成部を備え、
上記表示部は、上記作成部が作成した電子番組案内を表示することを特徴とする請求項１記載の地上デジタル放送受信機。
【請求項３】
上記番組情報は、番組に関する情報を羅列した番組配列情報を、表示形式に変換した電子番組案内であることを特徴とする請求項１記載の地上デジタル放送受信機。
【請求項４】
地上デジタル放送を受信する地上デジタル放送受信機と通信手段を介して情報を交換する放送受信装置において、
上記地上デジタル放送の番組を案内する番組情報を要求する番組情報要求を、上記地上デジタル放送受信機から上記通信手段を介して受け付ける要求受付部と、
上記番組情報要求に基づいて、上記地上デジタル放送をスキャン受信し、受信した地上デジタル放送から番組情報を抽出するスキャン受信部と、
上記スキャン受信部が抽出した番組情報を上記地上デジタル放送受信機へ伝達する伝達部と
を備えることを特徴とする放送受信装置。
【請求項５】
上記番組情報は、番組に関する情報を羅列した番組配列情報である特徴とすること請求項４記載の放送受信装置。
【請求項６】
上記番組情報は、番組に関する情報を羅列した番組配列情報を、表示形式に変換した電子番組案内であり、
上記放送受信装置は、さらに、上記番組配列情報を用いて上記電子番組案内へ変換する変換部を備えることを特徴とする請求項４記載の放送受信装置。
【請求項７】
上記通信手段は、公衆回線網と赤外線通信網と無線通信網とのいずれかを利用することを特徴とする請求項４から６いずれかに記載の放送受信装置。
【請求項８】
上記通信手段は、記録媒体を用い、
上記地上デジタル放送受信機は、上記記録媒体を読み込む記録媒体インタフェースを備えることを特徴とする請求項４から６いずれかに記載の地上デジタル放送受信機。
【請求項９】
上記地上デジタル放送は、複数の放送局が提供し、
上記番組案内は、上記複数の放送局すべての番組案内を含むことを特徴とする請求項４から６いずれかに記載の放送受信装置。
【請求項１０】
複数の放送局が提供する地上デジタル放送をスキャン受信する放送受信装置から、通信手段を介して地上デジタル放送受信機へ番組案内を提供する番組情報提供方法において、
上記デジタル放送受信機は、
上記地上デジタル放送の番組を案内する番組情報を、上記通信手段を介して上記放送受信装置へ要求し、
上記放送受信装置がスキャン受信した地上デジタル放送から抽出した番組情報を、上記通信手段を介して上記放送受信装置から取得し、
取得した番組情報を表示することを特徴とする番組情報提供方法。
【請求項１１】
複数の放送局が提供する地上デジタル放送をスキャン受信する放送受信装置が、通信手段を介して地上デジタル放送受信機へ番組案内を提供する番組案内提供方法において、
上記放送受信装置は、
上記地上デジタル放送の番組を案内する番組情報を要求する番組情報要求を、上記放送受信装置から上記通信手段を介して受け付け、
上記番組情報要求に基づいて、上記地上デジタル放送をスキャン受信し、
受信した地上デジタル放送から番組情報を抽出し、
抽出した番組情報を上記放送受信装置へ伝達することを特徴とする番組情報提供方法。
【発明の詳細な説明】
【０００１】
【発明の属する技術分野】
この発明は、携帯受信を行う地上デジタル放送受信機、及びその受信機の処理能力が比較的低い場合においてもＥＰＧ表示処理の効率が上がる手法に関する。
【０００２】
【従来の技術】
デジタル放送においては、放送波に含まれる番組配列情報（Ｓｅｒｖｉｃｅ  Ｉｎｆｏｒｍａｔｉｏｎ：ＳＩ）を元に電子番組案内（Ｅｌｅｃｔｒｏｎｉｃ  Ｐｒｏｇｒａｍ  Ｇｕｉｄｅ：ＥＰＧ）を作成、画面表示を行い、その情報を元に視聴者が選局を行う手法が提供されている。
【０００３】
地上デジタルテレビジョン放送では受信可能局が受信点により異なり、受信者毎に受信局リストが異なる場合があることから、ＢＳ（Ｂｒｏａｄｃａｓｔｉｎｇ  Ｓａｔｅｌｌｉｔｅ）／ＢＳ・広帯域ＣＳ（Ｃｏｍｍｕｎｉｃａｔｉｏｎ  Ｓａｔｅｌｌｉｔｅ）放送のような全局ＳＩによるＥＰＧは困難と予想される。従って、受信機側で各局ＳＩをスキャン受信し、ＢＳ／ＢＳ・広帯域ＣＳ放送と同様なＥＰＧを構成し表示するものとする。一例が、ＡＲＩＢ  ＳＴＤ−Ｂ２１に開示されている。
【０００４】
また、ＳＩを用いずにＥＰＧを表示する方法としては、プロバイダ等がＥＰＧそのものをサービスとして提供する方法が提案されている。一例が、特開２００１−０９４８１９号公報（第２図）に開示されている。
【０００５】
【非特許文献１】
デジタル放送用受信装置  標準規格  ＡＲＩＢ  ＳＴＤ−Ｂ２１  ３．０版（第１７８頁）、社団法人  電波産業会
【特許文献１】
特開２００１−０９４８１９号公報
【０００６】
【発明が解決しようとする課題】
地上デジタル放送では、これまでのアナログ放送やＢＳ／ＢＳ・広帯域ＣＳデジタル放送とは異なり、移動端末・携帯端末向けの放送が可能となるような規格が制定されている。ただし、原理的には可能であるが、製品化においては必要な処理を実装しながらコストダウンを行わなければならない。
【０００７】
殊に携帯端末においては、その物理的サイズの制約、及びバッテリー駆動時間を確保するために論理回路の処理速度を低く設定するという制約上、固定端末と比較して一般的に処理能力が低くなる。
【０００８】
地上デジタル放送では、送出側の設定にて、ＯＦＤＭ（ＯｒｔｈｏｇｏｎａｌＦｒｅｑｕｅｎｃｙ  Ｄｉｖｉｓｉｏｎ  Ｍｕｌｔｉｐｌｅｘ：直交周波数分割多重）変調された電波のサブキャリア総本数の違いにより定義されているモード、有効シンボル期間の後半の信号を重複して送信する時間により定義されるガードインターバル（Ｇ／Ｉ）比をチャンネル毎に使用目的・使用環境に即して切替えることが可能である。このように送出側の設定に柔軟性を持たせている反面、受信機においては、放送波がどの設定で送出されているかを判定する処理を行わなければならない。
【０００９】
つまり、従来の手法により各局ＳＩをスキャン受信しようとした場合、単に各チャンネルに対応する搬送波の周波数をスキャンするだけでは受信処理は完結せず、各々のチャンネルが現在使用しているモード及びＧ／Ｉ比もスキャンする必要がある。
【００１０】
その結果、比較的処理能力が低い携帯型地上デジタル放送受信機においては、全スキャンが完了するまでに多大な時間がかかり、機能としては実現可能であってもＥＰＧが表示されるまでの時間が実用的ではないという問題があった。
【００１１】
また、地上デジタル放送では、各チャンネルの放送波を最大３つの階層に分割して利用することが可能であり、そのうちの中央の１セグメントを部分受信階層として周波数インターリーブの処理対象から除外することができる。
【００１２】
部分受信階層は周波数インターリーブの処理対象から外れているため、その部分のみを独立して抜き出すことが可能である。つまり、部分受信階層のみを受信することを目的とした携帯型地上デジタル放送受信機のような装置である場合、すべての放送を受信する装置と比較してハードウエア規模を小さくすることが可能となる。ただし、部分受信階層を設定していない放送に関しては、周波数インターリーブにより必要なデータが受信範囲外のデータと入れ替えられているため、周波数同調後のデータ処理が行えず、放送の視聴は不可能となる。
【００１３】
このことは、携帯型地上デジタル放送受信機においては、各々のチャンネルにてモード及びＧ／Ｉ比をスキャンした後で、部分受信階層が設定されていることを確認して初めてスキャンが完了することを意味し、更なる判定時間が追加されるという問題があった。
【００１４】
一方、プロバイダ等がＥＰＧをサービスとして提供する場合、地上デジタル放送受信機におけるＳＩスキャン受信は不要になるものの、視聴者が所在するエリアにて視聴可能な番組は、ＢＳ／ＢＳ・広帯域ＣＳ放送のように全国一様にはならないため、該当するエリア数分だけ情報を準備しなければならないという問題があった。
【００１５】
この発明は、上記のような課題を解決するためになされたもので、第１の目的は、比較的処理能力の低い携帯端末においても負担にならない方法で各局ＳＩのスキャン受信と同様な結果を得ることで、より短い時間でＥＰＧを表示することが可能な地上デジタル放送受信機を得るものである。
【００１６】
さらに、第２の目的は、上記目的のように各局ＳＩのスキャン受信と同等の結果を得るのみならず、あらかじめＥＰＧを表示するためのデータフォーマットに変換された形で結果を受け取り、そのデータをもとにＥＰＧを表示することが可能な地上デジタル放送受信機を得るものである。
【００１７】
【課題を解決するための手段】
この発明に係る地上デジタル放送受信機は、地上デジタル放送をスキャン受信する放送受信装置へ、通信手段を介して情報を交換する地上デジタル放送受信機において、
上記地上デジタル放送の番組を案内する番組情報を、上記通信手段を介して上記放送受信装置へ要求する要求部と、
上記放送受信装置がスキャン受信した地上デジタル放送から抽出した番組情報を、上記通信手段を介して上記放送受信装置から取得する取得部と、
取得した番組情報を表示する表示部と
を備えることを特徴とする。
【００１８】
【発明の実施の形態】
実施の形態１．
図１は、この発明の実施の形態１における地上デジタル放送受信機の情報の流れを示すものである。
図１において、携帯型地上デジタル放送受信機１は、自らが各局ＳＩをスキャンする代わりに、固定型地上デジタル放送受信機２ａへ各局ＳＩのスキャン処理を要求する。この際の携帯型地上デジタル放送受信機１と固定型地上デジタル放送受信機２ａとの通信（通信で用いる通信網）は、例えば、ＰＨＳ（登録商標）（ＰＨＳ：Ｐｅｒｓｏｎａｌ  Ｈａｎｄｙｐｈｏｎｅ  Ｓｙｓｔｅｍ）やＰＤＣ（Ｐｅｒｓｏｎａｌ  Ｄｉｇｉｔａｌ  Ｃｅｌｌｕｌａｒ）、ＣＤＭＡ（Ｃｏｄｅ  Ｄｉｖｉｓｉｏｎ  Ｍｕｌｔｉｐｌｅ  Ａｃｃｅｓｓ）及びＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）等の移動体通信網３と有線通信網４を必要に応じて経由する公衆網である。
【００１９】
図２は、実施の形態１の携帯型地上デジタル放送受信機の構成の一例を示す図である。
携帯型地上デジタル放送受信機は、地上デジタル放送を受信できる地上デジタル受信機である。単に、「地上デジタル放送受信機」ともいう。
また、地上デジタル放送受信機（携帯型地上デジタル放送受信機）は、必ずしも携帯可能な受信機である必要はない。固定された状態で使用する装置であっても構わない。
図３は、実施の形態１の固定型地上デジタル放送受信機の構成の一例を示す図である。
固定型地上デジタル放送受信機は、地上デジタル放送をスキャン受信する。単に、「放送受信装置」ともいう。
また、放送受信装置（固定型地上デジタル放送受信機）は、必ずしも固定型である必要はない。地上デジタル放送をスキャン受信できる装置であれば、移動可能な装置であっても構わない。
【００２０】
番組情報は、複数の放送局が提供する地上デジタル放送の番組に関する情報であり、番組を案内する情報である。番組情報には、番組配列情報と上記番組配列情報を表示形式に変換した電子番組案内が含まれる。番組配列情報は、番組に関する情報を羅列した情報である。電子番組案内は、番組配列情報を表示形式に変換した情報である。
情報交換手段は、携帯型地上デジタル放送受信機と固定型地上デジタル放送受信機との間で情報を交換する手段である。情報交換手段は、通信手段ともいう。情報交換手段（通信手段）は、通信網に限られず、記録媒体等、情報を交換する手段であれば含まれる。
地上デジタル放送は、地上波デジタル放送ともいい、地上デジタル放送受信機は、地上波デジタル放送受信機ともいう。
【００２１】
図２の携帯型地上デジタル放送受信機１は、通信インタフェース１１と、要求部１２と、取得部１３と、作成部１４と、表示部１５とを備える構成例である。通信インタフェース１１は、固定型地上デジタル放送受信機２ａと、通信網（図１では、移動体通信網３と有線通信網４）を介して通信を行なうインタフェースである。
要求部１２は、固定型地上デジタル放送受信機２ａへ要求する内容を作成し、上記通信インタフェース１１を介して、要求を送信する。具体的には、要求部１２は、上記番組情報を、固定型地上デジタル放送受信機２ａへ要求する。
取得部１３は、固定型地上デジタル放送受信機２ａから、上記通信インタフェース１１を介して、要求した情報（番組配列情報、あるいは、電子番組案内等）を取得する。
作成部１４は、取得した情報を用いて、電子番組案内を作成する。
表示部１５は、番組情報（電子番組案内）を表示する。表示する機能として画面を有する。
【００２２】
なお、実施の形態１では、要求部１２は、番組配列情報の送信を要求し、取得部１３は、番組配列情報を取得する場合を一例として説明する。
また、表示部１５は、作成部１４が作成した電子番組案内を表示する。
【００２３】
図３の固定型地上デジタル放送受信機２ａは、通信インタフェース２１と、要求受付部２２と伝達部２３とスキャン受信部２４とを備える構成例である。
通信インタフェース２１は、携帯型地上デジタル放送受信機１と、通信網を介して通信を行なうインタフェースである。
要求受付部２２は、携帯型地上デジタル放送受信機１から番組情報（番組配列情報、あるいは、電子番組案内等）を要求する番組情報要求を、携帯型地上デジタル放送受信機１から上記通信インタフェース２１を介して受け付ける。
伝達部２３は、携帯型地上デジタル放送受信機１から要求された情報を、上記通信インタフェース２１を介して携帯型地上デジタル放送受信機１へ伝達する。スキャン受信部２４は、送信局５から地上デジタル放送をスキャン受信し、スキャン受信した地上デジタル放送から（地上デジタル放送の放送波から）番組情報を抽出する。
図３では、放送波６ａのみを表し、その他の放送波を省略している。
【００２４】
なお、実施の形態１では、要求受付部２２は、番組配列情報の伝達の要求を受け付け、伝達部２３は、番組配列情報を送信する場合を伝達する場合を説明する。
【００２５】
上記構成要素それぞれは、制御部（図示していない）によって全体を制御されている。例えば、計算機の中央処理演算装置（ＣＰＵ）によって、制御され、機能を実現する。
【００２６】
要求を受けた固定型地上デジタル放送受信機２ａは、自らの端末でＥＰＧを作成する場合と同様の手法にて、各局ＳＩのスキャン受信を実施する。スキャン受信とは、複数の地上デジタル放送の送信局もしくは送信所５ａ〜５ｃからの放送波６ａ〜６ｃを受信し、ＳＩを取得する処理を意味する。この実施の形態では、スキャン受信は、放送波６ａ〜６ｃをすべて受信する場合を説明する。
【００２７】
ここで、動作が理解し易いように便宜上送信局もしくは送信所５ａ〜５ｃから送出される放送波６ａ〜６ｃをチャンネルごとに独立した形式で記載しているが、例えば東京タワーのような電波塔より、複数のチャンネルが１箇所より送出されている場合も同様とみなす。
【００２８】
各局ＳＩのスキャン受信過程を図４及び図５に示す。
まずはＳ１１０にて、判定するチャンネルに対応する周波数を設定する。地上デジタル放送ではＵＨＦ帯１３ｃｈ〜６２ｃｈ及びＶＨＦ帯７ｃｈでの放送が予定されているが、この後の変更により他の帯域での伝送もないとは言えない。よって、この周波数値の設定処理は、その処理を実装する時点で放送波が存在する可能性がある周波数帯域を、例えば低い周波数のチャンネルから順に与えるものである。
【００２９】
次にＳ１２０の処理により、放送波がどのモード及びＧ／Ｉ比で送出されているかをスキャンする。その処理の詳細を図５に示す。ここでは、モード及びＧ／Ｉ比のパラメータとして規定されている値を網羅的にスキャンしているが、放送側の運用にてそのパラメータの一部のみを使用することが明確になっている場合、必要なパラメータのみのスキャンとしても構わない。
【００３０】
また、図５に示すモード及びＧ／Ｉ比のスキャンの順序は一例であり、必ずしもこの順序である必要はない。例えば、一般的に多く利用されるパラメータがあらかじめ分かっている場合、そのパラメータによるスキャンの順序を判定処理の先頭に移動することも可能である。
【００３１】
モード及びガードインターバル比のスキャンが完了した後、図４のＳ１３０の処理により、処理中のチャンネルにて携帯型デジタル放送受信機が受信可能な放送が行われているかどうかを判定する。もし、該当する放送波そのものが検出できなかった場合、もしくは放送波は存在したが部分受信階層が設定されていなかった場合、Ｓ１１０の処理へ戻り、次の周波数設定にて同様な処理を実施する。
【００３２】
Ｓ１３０の処理にて部分受信階層が設定されている放送波を検出した場合、Ｓ１４０の処理にて、放送波の中からＳＩを取得する。
【００３３】
以上の処理を放送が行われている可能性のあるすべての周波数で実施し（Ｓ１５０）、ＳＩのスキャンが完了する。
【００３４】
ＳＩのスキャンが完了した後、図１に示す固定型地上デジタル放送受信機２は、移動体通信網３と有線通信網４を必要に応じて経由して携帯型地上デジタル放送受信機１へ処理結果を送り返す。
【００３５】
以上の処理で得られたＳＩを元に、携帯型地上デジタル放送受信機１の作成部１４ではＥＰＧを作成し、表示部１５は作成したＥＰＧを表示する。例えば、そのＥＰＧを元に視聴者が放送局５ｃを選局した場合、携帯型地上デジタル放送受信機では、あらかじめ受信できることが判明している放送波６ｃを直接受信して番組を再生することができる。
【００３６】
実施の形態２．
実施の形態１においては、携帯型地上デジタル放送受信機１は固定型地上デジタル放送受信機２に対し各局ＳＩのスキャン受信を要求したが、その結果をもとにしたＥＰＧ画面表示用フォーマットのデータを要求するように変更しても良い。この場合、固定型地上デジタル放送受信機内にて、図４の処理が完了した後にＥＰＧ画面表示用フォーマットへの変換処理を実施する（図示せず）。
【００３７】
図６は、実施の形態２の携帯型地上デジタル放送受信機の構成の一例を示す図である。
図６の携帯型地上デジタル放送受信機の構成は、図２の構成から作成部１４を除いた構成である。
図２と同じ番号を付した構成要素は、実施の形態１と同様であるため説明を省略する。
なお、実施の形態２では、要求部１２は、電子番組案内の送信を要求し、取得部１３は、電子番組案内を取得する場合を一例として説明する。
また、表示部１５は、取得部１３が取得した電子番組案内を表示する。
【００３８】
図７は、実施の形態２の固定型地上デジタル放送受信機の構成の一例を示す図である。
図７の固定型地上デジタル放送受信機の構成は、図３の構成へ変換部２５を追加した構成である。
変換部２４は、スキャン受信部２４が受信した番組配列情報を入力し、上記番組配列情報を変換して電子番組案内を作成する。
図３と同じ番号を付した構成要素は、実施の形態１と同様であるため説明を省略する。
なお、実施の形態２では、要求受付部２２は、電子番組案内の伝達の要求を受け付け、伝達部２３は、変換部２４が作成した電子番組案内を送信する場合を伝達する場合を説明する。
【００３９】
その後、実施の形態１と同様に、移動体通信網３と有線通信網４を必要に応じて経由して携帯型地上デジタル放送受信機１へ処理結果を送り返す。携帯型地上デジタル放送受信機では、その情報を加工する必要がなく、単に表示するだけで良い。
【００４０】
実施の形態３．
なお、実施の形態１及び２においては、固定受信機は固定型地上デジタル放送受信機２ａと表示装置２ｂに分離されていたが、図８に示すように、地上デジタル放送受信機能内蔵型の表示装置２ｃとしても良い。
【００４１】
実施の形態４．
また、実施の形態１及び２においては、携帯型地上デジタル放送受信機１と固定型地上デジタル放送受信機２との情報交換手段として公衆網経由で行う構成にした。もし、遠隔地ではなく、同一の場所に携帯型地上デジタル放送受信機１と固定型地上デジタル放送受信機２が存在するのであれば、図９に示すように、赤外線通信や近距離無線通信７等、端末間で直接交信するような構成としても良い。この場合、通信費用を発生させずに処理を実行することができる。
【００４２】
実施の形態５．
さらにまた、実施の形態１及び２においては、携帯型地上デジタル放送受信機１と固定型地上デジタル放送受信機２の間の情報交換手段として、図１０に示すように、外部記録媒体８を用いても良い。この場合も、通信費用を発生させずに処理を実行することができる。
【００４３】
実施の形態６．
上記実施の形態１及び２では、番組情報（一例として、番組配列情報あるいは電子番組案内）は、地上デジタル放送を提供する複数の放送局すべてを含む場合を説明した。
しかしながら、上記複数の放送局すべての番組情報を含む場合に限られることはない。一部の放送局（一つ、あるいは、少なくとも二以上の最大値ではない複数の放送局）の番組案内であってもかまわない。一部の放送局は、携帯型地上デジタル放送受信機１自身が受信する場合に比べ、メリットがある数であることが好ましい。
上記一部の放送局は、携帯型地上デジタル放送受信機１が、固定型地上デジタル放送受信機２ａへ番組情報要求を要求する場合に所定の放送局を特定しても良い。また、携帯型地上デジタル放送受信機１の機種等によって、特定される場合であっても良い。
【００４４】
例えば、下記の場合が考えられる。
（１）携帯型地上デジタル放送受信機１が識別番号（電話番号、電子メールアドレス等）を有している場合、予め、固定型地上デジタル放送受信機２ａへ所定の放送局を特定する登録を識別番号によって対応づけて登録し、固定型地上デジタル放送受信機２ａは、上記識別番号によって、自動的に所定の放送局を取得する。
（２）携帯型地上デジタル放送受信機１が所定の登録番号を送信することによって、固定型地上デジタル放送受信機２ａは、所定の放送局を取得する。この場合、予め、固定型地上デジタル放送受信機２ａが、所定の登録番号と放送局の対応とのテーブルを提供し、携帯型地上デジタル放送受信機１が上記テーブルから登録番号を選択できるようにすることもできる。また、携帯型地上デジタル放送受信機１が個別にテーブルを固定型地上デジタル放送受信機２ａへ登録することも可能である。
また、上記以外に限られることなく、所定の複数の放送局を選択することができる手段であればこの他の手段であってもかまわない。
【００４５】
また、例えば、携帯型地上デジタル放送受信機１（端末ユーザ）が「ＡチャンネルとＢチャンネルだけを画面に表示させたい」などと希望した場合、固定型地上デジタル放送受信機２ａの機能実装方法としては次のような方法などが考えられる。
（１）通常通り全局スキャンを実施し、要求されているデータのみ画面表示する。
（２）要求されたチャンネルのみスキャンし、画面表示する。
また、上記の機能を実現するために、固定型地上デジタル放送受信機２ａ（地上デジタル放送端末メーカ側）は、各局ＳＩの取得機能の実装するとともに、一部の放送局（複数チャンネル）のＳＩ取得機能の実装はオプションとして備えることとなる。
従って、最大値ではない複数の放送局の番組案内の提供、例えば、端末ユーザに対して、スキャンする放送局を限定することによりスキャン時間が短縮される効果が設定作業をする手間よりも大きい等のメリットがある場合に効果が生じる。                                                  
【００４６】
【発明の効果】
この発明によれば、携帯型地上デジタル放送受信機が必要とする各局ＳＩのスキャン受信を固定型地上デジタル放送受信機が代行することにより、携帯型地上デジタル放送受信機自身が各局ＳＩのスキャン受信を実施する必要がなくなる。このため、機器能力が比較的低い携帯型地上デジタル放送受信機においても効率良くＥＰＧを表示することが可能となる。
【図面の簡単な説明】
【図１】この発明の実施の形態１に示す、各局ＳＩのスキャン受信を固定型地上デジタル放送受信機で代行する処理の説明図である。
【図２】実施の形態１の携帯型地上デジタル放送受信機の構成の一例を示す図である。
【図３】実施の形態１の固定型地上デジタル放送受信機の構成の一例を示す図である。
【図４】この発明の実施の形態１に示す、固定型地上デジタル放送受信機での代行処理のフローチャートである。
【図５】この発明の実施の形態１に示す、固定型地上デジタル放送受信機での代行処理のフローチャートのうち、モード及びＧ／Ｉ比のスキャン処理の一例を示したものである。
【図６】実施の形態２の携帯型地上デジタル放送受信機の構成の一例を示す図である。
【図７】実施の形態２の固定型地上デジタル放送受信機の構成の一例を示す図である。
【図８】この発明の実施の形態３に示す、地上デジタル放送受信機能内蔵型の表示装置を用いた場合の説明図である。
【図９】この発明の実施の形態４に示す、携帯型地上デジタル放送受信機と固定型地上デジタル放送受信機の間の通信に赤外線通信や近距離無線通信等を利用した場合の処理の説明図である。
【図１０】この発明の実施の形態５に示す、携帯型地上デジタル放送受信機と固定型地上デジタル放送受信機の間の情報交換手段として、外部記録媒体を用いた場合の処理の説明図である。
【符号の説明】
１  携帯型地上デジタル放送受信機、２ａ  固定型地上デジタル放送受信機、２ｂ  表示装置、２ｃ  地上デジタル放送受信機能内蔵型の表示装置、３  移動体通信網、４  有線通信網、５ａ〜５ｃ  地上デジタル放送の送信局もしくは送信所、６ａ〜６ｃ  地上デジタル放送の送信局より出力される放送波、７  赤外線通信もしくは近距離無線通信、８  外部記録媒体。
【図１】
2004207806.tif 000003
【図２】
2004207806.tif 000004
【図３】
2004207806.tif 000005
【図４】
2004207806.tif 000006
【図５】
2004207806.tif 000007
【図６】
2004207806.tif 000008
【図７】
2004207806.tif 000009
【図８】
2004207806.tif 000010
【図９】
2004207806.tif 000011
【図１０】
2004207806.tif 000012